(57)【特許請求の範囲】
【請求項１】
加熱調理器の器体内の前部に設けられる収納ケースに、器体前面から前方に突出する突出位置と、収納ケースに収納される没入位置とに移動自在に軸支される可動枠を備え、可動枠の上面に操作盤を固定して、可動枠の突出位置への移動で操作盤が器体前面から前方に露出するようにした加熱調理器用操作装置であって、
可動枠を突出位置側に付勢する付勢手段と、付勢手段の付勢力による可動枠の移動速度を減速する減速手段とを備え、減速手段は、可動枠の移動方向に長手のラックと、ラックに噛合するピニオン及びピニオンを軸支するダンパケースとを有しピニオンに回転負荷を与えるダンパとで構成されるものにおいて、
収納ケースの横方向一側の側板部に、可動枠の移動方向に長手の孔縁部を持つ透孔が開設され、透孔の前記孔縁部にラックが形成され、可動枠の突出位置でも収納ケースから突出しない可動枠の横方向一側の側板部の部分にダンパが前記透孔を通して着脱自在に装着されることを特徴とする加熱調理器用操作装置。
【請求項２】
前記ダンパは、その中心に対し前記ラックとは反対側の前記ダンパケースの周面部分から突出する二股状の第１突起と、第１突起とは周方向に離れたダンパケースの周面部分から突出する第２突起とを有し、前記可動枠の横方向一側の側板部に、第１と第２の各突起を横方向両側から挟むようにして受け入れる第１と第２の一対のポケット部と、第１突起の股部に係合してダンパを揺動自在に支持するピン部とが設けられると共に、ピン部を支点にしたダンパの揺動方向のうち第２突起が第２ポケット部に挿入される方向をプラス方向、第２突起が第２ポケット部から離脱する方向をマイナス方向として、可動枠の横方向一側の側板部に、ダンパを前記ピニオンがラックに噛合する所定位置までプラス方向に揺動させたときにダンパケースのプラス方向の周面部分が当接する受面部と、この所定位置でダンパケースのマイナス方向の周面部分に係合する先端の爪部を有する横方向に弾性的に湾曲自在な舌片部とが設けられることを特徴とする請求項１記載の加熱調理器用操作装置。
【発明の詳細な説明】
【技術分野】
【０００１】
本発明は、加熱調理器の器体内の前部に設けられる収納ケースに、器体前面から前方に突出する突出位置と、収納ケースに収納される没入位置とに移動自在に軸支される可動枠を備え、可動枠の上面に操作盤を固定して、可動枠の突出位置への移動で操作盤が器体前面から前方に露出するようにした加熱調理器用操作装置に関する。
【背景技術】
【０００２】
従来、この種の操作装置は、可動枠を突出位置側に付勢する付勢手段と、付勢手段の付勢力による可動枠の移動速度を減速する減速手段とを備えている。減速手段は、可動枠の移動方向に長手のラックと、ラックに噛合するピニオン及びピニオンを軸支するダンパケースとを有しピニオンに回転負荷を与えるダンパとで構成されている。そして、従来は、可動枠の横方向一側の側板部にラックが設けられ、収納ケースにダンパが設けられている（例えば、特許文献１、２参照）。
【０００３】
ここで、特許文献１に記載のものでは、可動枠の側板部の内側面にラックが設けられている。この場合、可動枠と一体にラックを成形することが、可動枠の成形金型の型抜きの関係で難しくなる。そのため、従来は、可動枠と別体のラックを可動枠の側板部の内側面に固定しており、部品点数が増加してコストアップを招く。
【０００４】
また、特許文献２に記載のものでは、可動枠の側板部の外側面にラックが設けられている。そのため、可動枠と一体にラックを容易に成形でき、部品点数を削減してコストダウンを図ることができる。然し、このものでは、可動枠を突出位置に移動させたときに、ラックが器体前面から露出して外観に現れてしまい、体裁を損なう。
【先行技術文献】
【特許文献】
【０００５】
【特許文献１】特開２００４−２６３９０３号公報（段落００２２，００２５、図１１−１４参照）
【特許文献２】特開２００９−２１６３２２号公報（図２参照）
【発明の概要】
【発明が解決しようとする課題】
【０００６】
本発明は、以上の点に鑑み、部品点数を増加することなく、可動枠の突出位置への移動で減速手段の構成部品が外観に現れることを防止できるようにした低コストで体裁の良好な加熱調理器用操作装置を提供することをその課題としている。
【課題を解決するための手段】
【０００７】
上記課題を解決するために、本発明は、加熱調理器の器体内の前部に設けられる収納ケースに、器体前面から前方に突出する突出位置と、収納ケースに収納される没入位置とに移動自在に軸支される可動枠を備え、可動枠の上面に操作盤を固定して、可動枠の突出位置への移動で操作盤が器体前面から前方に露出するようにした加熱調理器用操作装置であって、可動枠を突出位置側に付勢する付勢手段と、付勢手段の付勢力による可動枠の移動速度を減速する減速手段とを備え、減速手段は、可動枠の移動方向に長手のラックと、ラックに噛合するピニオン及びピニオンを軸支するダンパケースを有しピニオンに回転負荷を与えるダンパとで構成されるものにおいて、収納ケースの横方向一側の側板部に、可動枠の移動方向に長手の孔縁部を持つ透孔が開設され、透孔の前記孔縁部にラックが形成され、可動枠の突出位置でも収納ケースから突出しない可動枠の横方向一側の側板部の部分にダンパが前記透孔を通して着脱自在に装着されることを特徴とする。
【０００８】
本発明によれば、減速手段の構成部品の一つであるラックが器体内の収納ケースに設けられるため、可動枠を突出位置に移動させてもラックが外観に現れることはない。また、可動枠の突出位置でも収納ケースから突出しない可動枠の側板部の部分に減速手段の構成部品の他の一つであるダンパが設けられるため、ダンパも外観に現れることがなく、体裁が良好になる。
【０００９】
ここで、収納ケースの側板部の内側面にラックを設けることも考えられるが、これでは、収納ケースと一体にラックを成形することが、収納ケースの成形金型の型抜きの関係で難しくなる。そのため、収納ケースと別体のラックを収納ケースの側板部の内側面に固定することが必要になり、部品点数が増加してしまう。これに対し、本発明では、収納ケースの側板部に開設する透孔の孔縁部にラックを形成するため、収納ケースと一体にラックを容易に成形でき、部品点数の増加によるコストアップを回避できる。
【００１０】
また、本発明においては、上記の如く可動枠の横方向一側の側板部に、ダンパが収納ケースの側板部に開設した透孔を通して着脱自在に装着されるため、メンテナンスに際し、収納ケースを器体内から取り出すだけで、可動枠を収納ケースから取り外すことなく、透孔を通してダンパを交換することができ、メンテナンス性が向上する。
【００１１】
この場合、ダンパは、その中心に対しラックとは反対側のダンパケースの周面部分から突出する二股状の第１突起と、第１突起とは周方向に離れたダンパケースの周面部分から突出する第２突起とを有し、可動枠の横方向一側の側板部に、第１と第２の各突起を横方向両側から挟むようにして受け入れる第１と第２の一対のポケット部と、第１突起の股部に係合してダンパを揺動自在に支持するピン部とが設けられると共に、ピン部を支点にしたダンパの揺動方向のうち第２突起が第２ポケット部に挿入される方向をプラス方向、第２突起が第２ポケット部から離脱する方向をマイナス方向として、可動枠の横方向一側の側板部に、ダンパをピニオンがラックに噛合する所定位置までプラス方向に揺動させたときにダンパケースのプラス方向の周面部分が当接する受面部と、この所定位置でダンパケースのマイナス方向の周面部分に係合する先端の爪部を有する横方向に弾性的に湾曲自在な舌片部とが設けられることが望ましい。
【００１２】
これによれば、舌片部を横方向内方に押して、ダンパケースのマイナス方向の周面部分に対する爪部の係合を解除することにより、ダンパをマイナス方向に揺動させて、第２突起を第２ポケット部から離脱させることができる。その後、第１突起を第２ポケット部から引き抜くと共にピン部に対する第１突起の係合を解除することにより、ダンパを透孔を通して取り出すことができる。また、これとは反対の手順でダンパを透孔を通して可動枠の側板部に装着することができる。この場合、ダンパは、受面部と舌片部の爪部との間に挟まれて、その揺動方向に関し上記所定位置に位置決めされると共に、第１と第２の各突起が第１と第２の各ポケット部で横方向両側から挟まれて、横方向、即ち、ピニオンの軸方向にも位置決めされる。そのため、ダンパは、ピニオンがラックに噛合する状態で可動枠の側板部に固定される。従って、ダンパをねじ止めする必要がなく、ダンパの着脱作業が容易になって、メンテナンス性が一層向上する。
【図面の簡単な説明】
【００１３】
【図１】本発明の実施形態の操作装置を具備する加熱調理器の一例を示す斜視図。
【図２】（ａ）実施形態の操作装置の可動枠が突出位置に存する状態の斜め前方から見た斜視図、（ｂ）実施形態の操作装置の可動枠が没入位置に存する状態の斜め前方から見た斜視図。
【図３】実施形態の操作装置の斜め後方から見た斜視図。
【図４】実施形態の操作装置の側面図。
【発明を実施するための形態】
【００１４】
図１に示す加熱調理器は、システムキッチンのカウンタトップに開設した開口に落とし込むようにして設置する器体１と、器体１の上面を覆う天板１１に開設した複数のバーナ用開口を通して天板１１上に突出する複数のコンロバーナ２と、器体１内に配置したグリルとを備えるビルトイン型のガスコンロである。器体前面の横方向中間部には、グリル前面のグリル扉３が配置され、グリル扉３の両側の器体前面には、器体１に前方から着脱自在に装着される前パネル１２が配置されている。
【００１５】
前パネル１２は、前面上部の操作パネル部１２ａと、操作パネル部１２ａの裏側から下方にのびる裏板１２ｂ（図４参照）とを備えている。操作パネル部１２ａには、コンロバーナ２やグリルに設けられたグリルバーナを点消火する複数の操作子４が配置されている。また、操作パネル部１２ａの下方位置で前方に出没自在な可動枠５が設けられている。
【００１６】
ここで、操作パネル部１２ａより下方の裏板１２ｂの部分には開口が開設されており、図２に示す収納ケース６をこの開口に挿通した状態で前パネル１２に固定し、前パネル１２を器体前面に装着することで、収納ケース６が器体１内の前部に設置されるようにしている。そして、可動枠５が、収納ケース６に、前パネル１２の前方に突出する突出位置（図２（ａ）に示す位置）と、収納ケース６に収納される没入位置（図２（ｂ）に示す位置）とに移動自在に支持されるようにしている。
【００１７】
以下、図２〜図４を参照して、可動枠５及び収納ケース６について詳述する。可動枠５は、前板部５１と左右両側の側板部５２と上板部５３とを有する樹脂成形品で構成され、上板部５３の上面には、加熱温度や加熱時間等を設定する各種操作スイッチ５４ａ及び表示部５４ｂを有する操作盤５４が固定されている。収納ケース６は、上板部６１と左右両側の側板部６２と底板部６３と前端の額縁状のフランジ部６４とを有する樹脂成形品で構成されている。また、フランジ部６４の上辺部の左右両端部に上方にのびる突片部６４ａを形成し、この突片部６４ａに、前方に突出するピン６４ｂと取付孔６４ｃとを設けている。そして、図４に示す如く、収納ケース６を上記裏板１２ｂの開口に前方から挿入して、フランジ部６４を裏板１２ｂの前面に当接させると共に、操作パネル部１２ａの裏面の凹孔にピン６４ｂを嵌合させ、その後、裏板１２ｂ及び取付孔６４ｃを通して操作パネル部１２ａの裏面のねじ孔にねじを螺入して、突片部６４ａと操作パネル部１２ａとを裏板１２ｂに共締めし、収納ケース６を前パネル１２に固定している。
【００１８】
また、図４に示す如く、可動枠５の前端部下端の左右両側部にＣ字状の切欠き５５を形成すると共に、収納ケース６の前端部下端の左右両側部に軸部６５を設け、切欠き５５に軸部６５を嵌め込むことで、収納ケース６に可動枠５が軸部６５を支点にして上記突出位置と上記没入位置とに回動自在に支持されるようにしている。そして、可動枠５の突出位置への回動で操作盤５４が前パネル１２の前方に露出して、操作盤５４の操作が可能になるようにしている。尚、可動枠５の上板部５３の後端部には、収納ケース６のフランジ部６４の上辺部に後方から当接して、可動枠５が所定の突出位置よりも前方に突出することを防止するストッパ部５３ａが設けられている。
【００１９】
また、図３に示す如く、可動枠５を突出位置側に付勢するねじりコイルバネから成る付勢手段７と、可動枠５を没入位置に係止すると共に可動枠５を没入位置から押し操作することで係止を解除するプッシュプッシュ式の係止機構８と、付勢手段７の付勢力による可動枠５の移動（回動）速度を減速する減速手段９とを備えている。
【００２０】
係止手段８は、収納ケース６に固定したカム部材８１と、可動枠５の片側の側板部５２に揺動自在に軸支したレバー部材８２とで構成されている。レバー部材８２の自由端には係合ピン８２ａが突設されている。そして、可動枠５を突出位置から没入位置に押し操作したとき、係合ピン８２ａがカム部材８１に形成したハート形のカム溝（図示せず）の係止溝部に係合して、可動枠５が没入位置に係止され、可動枠５を没入位置から押し操作したとき、係合ピン８２ａが係止溝部から離脱して可動枠５の係止が解除され、以後、付勢手段７の付勢力により可動枠５が突出位置まで回動されるようにしている。
【００２１】
減速手段９は、可動枠５の移動方向に長手の形状、即ち、可動枠５の回動支点となる前記軸部６５と同心の円弧状のラック９１と、ラック９１に噛合するピニオン９２１及びピニオン９２１を軸支する円盤状のダンパケース９２２を有するダンパ９２とで構成される。ダンパ９２は、ダンパケース９２２内に封入した高粘性オイルによってピニオン９２１に回転負荷を与えるように構成されている。
【００２２】
ここで、本実施形態では、収納ケース６の横方向一側の側板部６２に、軸部６５と同心の円弧状の孔縁部を持つ透孔６２ａを開設して、透孔６２ａの円弧状孔縁部にラック９１を形成している。また、この側板部６２の内側に位置する可動枠５の横方向一側の側板部５２に、可動枠５の突出位置でも収納ケース６から突出しない部分に位置させて、ダンパ９２を設けている。これによれば、可動枠５が付勢手段７の付勢力によって収納位置から突出位置に回動するとき、ピニオン９２１がラック９１に沿って回転しつつ移動し、ピニオン９２１に付与される回転負荷により可動枠５の回動速度が減速される。
【００２３】
そして、本実施形態では、減速手段９の構成部品の一つであるラック９１が器体１内の収納ケース６に設けられるため、可動枠５を突出位置に移動させてもラック９１が外観に現れることはない。また、可動枠５の突出位置でも収納ケース６から突出しない可動枠５の側板部５２の部分に減速手段の構成部品の他の一つであるダンパ９２が設けられるため、ダンパ９２も外観に現れることがなく、体裁が良好になる。
【００２４】
尚、収納ケース６の側板部６２に透孔６２ａを形成せずに、側板部６２の内側面にラックを設けることも考えられる。然し、このものでは、収納ケース６と一体にラックを成形することが、収納ケース６の成形金型の型抜きの関係で難しくなる。そのため、収納ケース６と別体のラックを収納ケース６の側板部６２の内側面に固定することが必要になり、部品点数が増加してしまう。これに対し、本実施形態の如く収納ケース６の側板部６２に開設する透孔６２ａの孔縁部にラック９１を形成すれば、側板部６２の外側面を成形する横方向に型開き自在な金型の透孔成形用凸部にラック成形部を設けるだけで、収納ケース６と一体にラック９１を容易に成形できる。そのため、収納ケース６と別体のラックが不要となり、部品点数の増加によるコストアップを回避できる。
【００２５】
ところで、加熱調理器のメンテナンスに際し、前パネル１２を取り外すと、前パネル１２と一緒に収納ケース６が器体１の前方に取り出される。この場合、可動枠５の側板部５２に、ダンパ９２が透孔６２ａを通して着脱自在に装着されていれば、軸部６５に対する可動枠５の係合を解いて可動枠５を収納ケース６から取り外すことなく、ダンパ９２を交換することができ、メンテナンス性が向上する。
【００２６】
ここで、可動枠５の側板部５２にダンパ９２を透孔６２ａを通してのねじ止めで固定することも考えられるが、これでは、ねじ止め作業が面倒になる。そこで、本実施形態では、可動枠５の側板部５２にダンパ９２を透孔６２ａを通して着脱自在に、且つ、ねじ止めを要することなく固定できるようにしている。以下、この点について詳述する。
【００２７】
本実施形態では、ダンパ９２に、その中心に対しラック９１とは反対側のダンパケース９２２の周面部分から突出する二股状の第１突起９２３と、第１突起９２３とは周方向に半周離れたダンパケース９２２の周面部分から突出する第２突起９２４とが設けられている。また、可動枠５の横方向一側の側板部５２に、第１と第２の各突起９２３，９２４を横方向両側から挟むようにして受け入れる第１と第２の一対のポケット部５２１，５２２と、第１突起９２３の股部に係合してダンパ９２を揺動自在に支持するピン部５２３とが設けられている。
【００２８】
更に、ピン部５２３を支点にしたダンパ９２の揺動方向のうち第２突起９２４が第２ポケット部５２２に挿入される方向をプラス方向、第２突起９２４が第２ポケット部５２２から離脱する方向をマイナス方向として、可動枠５の横方向一側の側板部５２に、ダンパ９２をピニオン９２１がラックに噛合する所定位置（図４に実線で示す位置）までプラス方向に揺動させたときにダンパケース９２２のプラス方向の周面部分が当接する、横方向内方への段差面から成る受面部５２４と、この所定位置でダンパケース９２２のマイナス方向の周面部分に係合する先端の爪部５２５ａを有する舌片部５２５とが設けられている。舌片部５２５は、その幅方向両側でスリットにより側板部５２から分離されている。そのため、舌片部５２５は、側板部５２の法線方向たる横方向に弾性的に湾曲自在となる。尚、第１と第２のポケット部５２１，５２２、ピン部５２３、受面部５２４及び舌片部５２５は、側板部５２に一体成形されている。
【００２９】
本実施形態によれば、舌片部５２５を横方向内方に押して、ダンパケース９２２のマイナス方向の周面部分に対する爪部５２５ａの係合を解除することにより、ダンパ９２をマイナス方向に揺動させて、第２突起９２４を第２ポケット部５２２から離脱させることができる。そして、ダンパ９２を第２突起９２４がラック９１に干渉しない位置（図４に仮想線で示す位置）まで揺動させた後、第１突起９２３を第１ポケット部５２１から引き抜くと共にピン部５２３に対する第１突起９２３の係合を解除することにより、ダンパ９２を透孔６２ａを通して取り出すことができる。また、これとは反対の手順でダンパ９２を透孔６２ａを通して可動枠５の側板部５２に装着することができる。
【００３０】
この場合、ダンパ９２は、受面部５２４と舌片部５２５の爪部５２５ａとの間に挟まれて、その揺動方向に関し上記所定位置に位置決めされると共に、第１と第２の各突起９２３，９３４が第１と第２の各ポケット部５２１，５２２で横方向両側から挟まれて、横方向、即ち、ピニオン９２１の軸方向にも位置決めされる。そのため、ダンパ９２は、ピニオン９２１がラック９１に噛合する状態で可動枠５の側板部５２に固定される。従って、ダンパ９２をねじ止めする必要がなく、ダンパ９２の着脱作業が容易になって、メンテナンス性が一層向上する。
【００３１】
以上、本発明の実施形態について図面を参照して説明したが、本発明はこれに限定されない。例えば、上記実施形態は、可動枠５を収納ケース６に回動自在に支持させる操作装置に本発明を適用したものであるが、可動枠を収納ケースに前後方向に摺動自在に支持させる操作装置にも同様に本発明を適用できる。また、熱源として電磁誘導コイルや電気ヒータを用いるガスコンロ以外の加熱調理器用の操作装置にも同様に本発明を適用できる。
【符号の説明】
【００３２】
１…器体、５…可動枠、５２…可動枠の側板部、５２１…第１ポケット部、５２２…第２ポケット部、５２３…ピン部、５２４…受面部、５２５…舌片部、５２５ａ…爪部、５４…操作盤、６…収納ケース、６２…収納ケースの側板部、６２ａ…透孔、７…付勢手段、９…減速手段、９１…ラック、９２…ダンパ、９２１…ピニオン、９２２…ダンパケース、９２３…第１突起、９２４…第２突起。
【図１】
0005536708.tif 000002
【図２】
0005536708.tif 000003
【図３】
0005536708.tif 000004
【図４】
0005536708.tif 000005